(57)【要約】【課題】  針金等を摘みに引っ掛けるサムターン摘みの不正解錠が阻止でき、良好な操作性が確保できる面付錠を得る。【解決手段】  固定筒２１に内設されるコア軸３５と、固定筒２１内に内設されるサムターン筒４３と、サムターン筒４３に摺動自在に内設されるストッパー４９，５１と、サムターン筒４３に連動回転しストッパー４９，５１を進入させるストッパー退避凹部３８ａを有したサムターンボス３８と、サムターンボス３８に取り付けられる摘み４１と、ストッパー４９，５１の係合を解除する一対のボタンと、一対のストッパー４９，５１を挟むとともに、他端部同士が接近方向に配置される一対の解除交差部材と、コア軸３５の突起板３９を挟持しコア軸３５の回転によって開脚され、この開脚動作によって解除交差部材を介して一対のストッパー４９，５１を係合解除方向に摺動させる一対の挟持板７３ａ，７３ｂとを設けた。【選択図】      図１
2005336821.tif 000002
【特許請求の範囲】
【請求項１】
デッドボルト等を進退させる錠機構部を内蔵しかつ該錠機構部を作動させるサムターンを備えた錠ケースが扉の一方の面に突出した状態で設けられるとともに、前記錠機構部に連動連結されるシリンダ錠が前記扉を貫通しかつ該シリンダ錠先端の鍵穴が前記扉の他方の面に表出する面付錠であって、
前記錠ケースに固定される固定筒と、
前記シリンダ錠に連動連結され、前記錠ケースに回転自在に内設されるコア軸と、
前記固定筒に回転自在に内設されるサムターン筒と、
該サムターン筒に軸線直交方向で摺動自在に内設され該サムターン筒の外周から突出して前記固定筒に係合することで該サムターン筒の回転を阻止する一対のストッパーと、
前記サムターン筒に所定の遊び角を許容して連動回転し該ストッパーを進入させて前記係合を解除する方向の該ストッパーの移動を可能にするストッパー退避凹部を外周に有したサムターンボスと、
該サムターンボスに取り付けられ屋内側へ突出する略板状の摘みと、
脚部を有し該摘みの表裏面に突出され同時に押し込まれることで該脚部を介して前記ストッパーの係合を解除する一対のボタンと、
該一対のボタンを離反方向に付勢することで前記脚部を介して前記ストッパーを係合方向に付勢するボタン付勢バネと、
前記サムターン筒に軸線直交方向で摺動自在に内設され圧縮バネによって離間された一端部同士の間隙で前記一対のストッパーを挟むとともに、他端部同士が接近方向に配置される一対の解除交差部材と、
前記サムターン筒に揺動自在に支持され前記コア軸に突設された突起板を軸線直交方向の両側から挟持し前記コア軸の回転入力で前記突起板によって開脚され、該開脚動作によって前記一対の解除交差部材の他端部同士を離反方向に移動して前記一端部同士で前記一対のストッパーを係合解除方向に摺動させる一対の挟持板と、
を具備したことを特徴とする面付錠。
【発明の詳細な説明】
【技術分野】
【０００１】
本発明は、錠機構部及びシリンダ錠を備え、扉の屋内面に突出して付設される面付錠に関し、特に操作性、見栄えを確保しながら防犯性を高めた改良技術に関する。
【背景技術】
【０００２】
面付錠は、下記特許文献に構造が開示されるように、扉の厚み内部に錠機構部を設けず、扉の一方の面である屋内面に、錠機構部が錠ケースに内設されて突設され、扉の他方の面である屋外面にはシリンダ錠の鍵穴のみが表出する。シリンダ錠は、防犯のために錠機構部に対して交換が可能となっている。一方、屋内側に突出するサムターンは、錠機構部への簡便な操作入力部として錠機構部と一体に構成される。面付錠は、扉と扉枠との隙間から施錠部材（デッドボルト等）が露出せず、不正行為が行われにくいものとなっている。このため、主錠として用いられるほか、錠を追加する所謂ワンドア・ツーロックの後付け錠としても用いられる。
【特許文献１】特開２００２−１６８０１１号公報
【発明の開示】
【発明が解決しようとする課題】
【０００３】
面付錠は、錠ケースに内設され、扉の屋内面にサムターンを突設させる錠機構部と、この錠機構部に対して交換可能に連結されるシリンダ錠とにより大別して構成される。したがって、合鍵の変更等による防犯対策は、シリンダ錠のみを交換することで比較的容易に行える。
【０００４】
しかしながら、サムターンは、錠機構部と一体に構成されるため、その交換が容易でない。このため、近年増加の傾向にある、扉に穴を開け棒や針金等を差し入れてサムターンを不正操作する犯罪行為に対しては対策のとり難い問題があった。このような問題に対し、サムターンに空転部材を被着し、棒等を用いたサムターンの回転操作を不能にする防犯具も提案されているが、空転部材がサムターンに被着されると、特に錠ケースが扉面に突設される面付錠の場合、屋内側への突出寸法が大きくなり、意匠性の低下する問題があった。また、この種の空転部材を装着した場合には、一般的に空転部材を押し回しすることでサムターンが回転操作されるため、操作性を著しく低下させる新たな問題も発生した。
【０００５】
本発明は上記状況に鑑みてなされたもので、サムターンの不正操作が防止でき、突出寸法が大きくならず、しかも、押し回しの不要な面付錠を提供し、意匠性・操作性を低下させることなく、防犯性の向上を図ることを目的とする
【課題を解決するための手段】
【０００６】
次に、上記の課題を解決するための手段を、実施の形態に対応する図面を参照して説明する。
本発明に係る面付錠は、デッドボルト６等を進退させる錠機構部４を内蔵しかつ該錠機構部４を作動させるサムターンを備えた錠ケース３が扉２の一方の面２ａに突出した状態で設けられるとともに、前記錠機構部４に連動連結されるシリンダ錠１１が前記扉２を貫通しかつ該シリンダ錠１１先端の鍵穴が前記扉２の他方の面２ｂに表出する面付錠であって、
前記錠ケース３に固定される固定筒２１と、
前記シリンダ錠１１に連動連結され、前記錠ケース３に回転自在に内設されるコア軸３５と、
前記固定筒２１に回転自在に内設されるサムターン筒４３と、
該サムターン筒４３に軸線直交方向で摺動自在に内設され該サムターン筒４３の外周から突出して前記固定筒２１に係合することで該サムターン筒４３の回転を阻止する一対のストッパー４９，５１と、
前記サムターン筒４３に所定の遊び角αを許容して連動回転し該ストッパー４９，５１を進入させて前記係合を解除する方向の該ストッパー４９，５１の移動を可能にするストッパー退避凹部３８ａを外周に有したサムターンボス３８と、
該サムターンボス３８に取り付けられ屋内側へ突出する略板状の摘み４１と、
脚部６３ａ，６５ａを有し該摘み４１の表裏面に突出され同時に押し込まれることで該脚部６３ａ，６５ａを介して前記ストッパー４９，５１の係合を解除する一対のボタン６３，６５と、
該一対のボタン６３，６５を離反方向に付勢することで前記脚部６３ａ，６５ａを介して前記ストッパー４９，５１を係合方向に付勢するボタン付勢バネ６６と、
前記サムターン筒４３に軸線直交方向で摺動自在に内設され圧縮バネ７１によって離間された一端部６７ｂ，６９ｂ同士の間隙で前記一対のストッパー４９，５１を挟むとともに、他端部６７ｃ，６９ｃ同士が接近方向に配置される一対の解除交差部材６７，６９と、
前記サムターン筒４３に揺動自在に支持され前記コア軸３５に突設された突起板３９を軸線直交方向の両側から挟持し前記コア軸３５の回転入力で前記突起板３９によって開脚され、該開脚動作によって前記一対の解除交差部材６７，６９の他端部６７ｃ，６９ｃ同士を離反方向に移動して前記一端部６７ｂ，６９ｂ同士で前記一対のストッパー４９，５１を係合解除方向に摺動させる一対の挟持板７３ａ，７３ｂと、
を具備したことを特徴とする。
【０００７】
この面付錠では、ボタン６３，６５を押下しながらの回転力が摘み４１に加えられなければ、摘み４１による操作が行えず、これにより、挿入した針金や棒等を摘みに引っ掛ける等して、摘み４１を回転することによる不正解錠が阻止される。
また、一般的なサムターンと同様に、摘み４１を摘んで回動操作が行え、施錠時にはボタン操作に関わらず施錠が行えるとともに、屋外からのシリンダ錠１１による合鍵操作時にはボタン６３，６５による規制が自動解除されて、摘み４１が回転される。
さらに、従来の防犯カバーが被せられる構成と異なり、摘み４１を略板状に形成したので、垂直・水平姿勢が視認可能となる。
また、摘み４１が、ボタン６３，６５の押し込みより先に回されると、ストッパー退避凹部３８ａがストッパー４９，５１から位置ずれし、ストッパー４９，５１がストッパー退避凹部３８ａに退避できなくなり、ストッパー４９，５１の解除が不能となる。
すなわち、防犯性の高いサムターンを備えた面付錠が得られることとなる。
【発明の効果】
【０００８】
本発明に係る面付錠によれば、ボタンによる規制を解除して摘みを回転可能としたので、ボタンを押下しながら摘みに回転力を加えなければ摘みによる操作は行えず、これにより、挿入した針金や棒等を摘みに引っ掛ける等して、サムターンの摘みを回転することによる不正解錠を阻止でき、防犯性を向上させることができる。
また、一般的なサムターンと同様に、摘みを摘んで回動操作が行え、施錠時にはボタンに関わらず施錠が行えるとともに、屋外からのシリンダ錠による合鍵操作時にはボタンの規制が自動解除されて摘みが回転するので、良好な操作性を確保することができる。そして、従来の防犯カバーを被せるのと異なり、突出寸法が大きくならず、意匠性を低下させることがない。
さらに、摘みの形状が略板状であるので垂直・水平姿勢が視認でき、一般的なサムターンと同様に、室内側からの施解錠状態を容易に確認することができる。これに加え、摘みが、ボタンの押し込みより先に回されると、ストッパー退避凹部がストッパーから位置ずれし、ストッパーの解除が不能となるので、挿入した針金や棒等を摘みに引っ掛ける等した、サムターン摘みの回転が一層行い難くなり、防犯性をさらに向上させることができる。
【発明を実施するための最良の形態】
【０００９】
以下、本発明に係る面付錠の好適な実施の形態を図面を参照して詳細に説明する。
図１は本発明に係る面付錠の縦断面図、図２は図１に示した面付錠の横断面図、図３は図１に示した面付錠の屋内側から見た正面図、図４は図３を背面側から見た断面図、図５は錠ケースから突設されたサムターンの斜視図である。
本実施の形態による面付錠１００が取付けられる扉２には、この面付錠１００を構成する錠ケース３が設けられる。扉２の一方の面である屋内面２ａには、図示しない台座がビス等によって螺着され、錠ケース３はこの台座にビスによって螺看される。本実施の形態では錠ケース３は略方形箱状に形成され扉２の屋内側２ａの面に露出し突出して固定される。
なお、本実施の形態の面付錠１００は、錠機構部４と、開閉操作部５とが１つの錠ケース３に構成されるもので、上半部に錠機構部４が、下半部に開閉操作部５が配設される。
【００１０】
錠ケース３の上半部の内部には、面付錠１００の機構である錠機構部４が配設される。錠機構部４は、デッドボルト６とダルマ７と出力軸９とで大略構成される。
錠ケース３内には、左右方向にスライド自在となるデッドボルト６が設けられ、その先端６ａは、錠ケース３の一側面から扉２の木口方向に沿って避退自在となる。デッドボルト６の基端近傍には、ダルマ７が軸支されている。ダルマ７には、外側縁の一部に片状の係合部８が延設されており、デッドボルト６の基端６ｂに連結されている。そして、ダルマ７が所定角度回転することで、係合部８が連動し、これに連動してデッドボルト６がスライドすることとなる。ダルマ７は、錠ケース３内の出力軸９に連結されている。出力軸９の錠ケース３の外面側には、錠ケース３より突出するサムターンとしての防犯サムターン１０が連結され、また、出力軸９の錠ケース３の背面側すなわち扉２の屋内面２ａに対向する側には後述するシリンダ錠１１が連結される。
【００１１】
錠ケース３の下半部の開閉操作部５は、操作軸１２とラッチカム１３とプランジャ１５とラッチボルト１６と操作部材で大略構成される。操作軸１２は、錠ケース３を貫通し、かつ扉２を貫通して、両端に操作部材としてのノブ、或いはハンドルなど（図示せず）と結合される。操作軸１２には、錠ケース３内にてラッチカム１３が相対回転不能に固着される。ラッチカム１３には周縁に突片１３ａと揺動片１３ｂとを有し、突片１３ａはプランジャ１５に当接しており、揺動片１３ｂはラッチボルト１６に係合している。プランジャ１５は、圧縮コイルバネ１７によって押圧されており、先端が当接する突片１３ａによってラッチカム１３を所定の回転方向、図２において時計回り方向に付勢している。ラッチボルト１６は錠ケース３内を左右方向にスライド自在とされるとともに、ラッチバネ１８を内蔵し、ラッチボルト先端１６ａを常時進出させる方向へ付勢している。ラッチボルト１６の基端１６ｂはラッチカム１３の揺動片１３ｂと係合され、ラッチカム１３の回転によりラッチボルト先端１６ａを錠ケース３内に後退させるようになっている。
【００１２】
錠機構部５の出力軸９に連結される防犯サムターン１０は、略半円板状に形成される摘み４１を備えており、錠ケース３の上部略中央に回転自在に配設される。
なお、本実施の形態の面付錠１００を構成する防犯サムターン１０には、一対のボタン６３，６５が表裏面に配設されている。これらボタン６３，６５は、後に詳述するように、押下することにより、防犯サムターン１０自体の回転を行えるような構成となっており、防犯サムターン１０の摘み４１に対して、これらボタン６３，６５を正しく押下した状態として回転操作を行わなければ、この防犯サムターン１０によるデッドボルト６の進退操作が行えないようになっている。
【００１３】
また、出力軸９には、コア軸３５が連動連結されている。このコア軸３５は、錠ケース３内に配設される支持板１０１に回動自在に配設されており、後端に略板状の連結片１０３が突設されている。そして、この連結片１０３は支持板１０１を貫通して延出し、後述するシリンダ錠１１に連結される。
なお、支持板１０１は、錠ケース３内において、上述した鍵機構部７を構成する各部１１、１３、１５を支持する板部材であり、錠ケース３内に固定され、錠ケース３の外装表面板３ａとの間に各部が配置されるようになっている。
【００１４】
シリンダ錠１１は、本実施の形態では、錠本体１０５と、ハウジング１０７とで大略構成されている。
鍵本体１０５は、正規な合鍵（図示せず）を挿入することで回転操作を行うことが可能な構造であり、先端に合鍵の挿入さる鍵穴が形成され、また基端には、合鍵よる回転操作にて連動して回転するテールピース１０９が配設されている。ハウジング１０７は、錠本体１０５を内蔵する略円筒状に形成されており、先端側に錠本体１０５を配置して、先端面より錠本体１０５の鍵穴が表出するようになっている。この鍵穴は、扉の他方の面である屋外面２ｂに表出する。ハウジング１０７の基端には、錠本体１０５のテールピース１０９と錠機構部４を構成するコア軸３５とを連結するための連結部１１１が、ハウジング１０７内で回転自在となって配設されている。すなわち、合鍵による回転操作で、テールピース１０９が回転すると、連結部１１１を介してコア軸３５を回転させ、これにより出力軸９へ回転操作力を伝達させて、デッドボルト６の進退が行われるようになっている。
【００１５】
また、ハウジング１０７の基端には、軸線方向に直交する方向の対向位置となって対となる係合穴１１３，１１３が穿設されている。各係合穴１１３，１１３には、板体１１５，１１７がそれぞれ取り付けられる。なお、本実施の形態のハウジング１０７には、外装ケースが被覆されており、薄肉なパイプ状部材で構成され、基端例にて周縁にフランジ部が形成され、板体１１５，１１７に当接するようになっている。
【００１６】
板体１１５，１１７は、略平滑な板部材よりなり、本実施の形態では、焼入れ鋼、好ましくは浸炭焼入れ処理を施した十分な強度及び難削性を有した鋼材を素材とし、上下一対で構成され、上部板体１１５と下部板体１１７とで構成されている。
【００１７】
上部板体１１５と下部板体１１７は、略方形状に形成される。上下板体１１５，１１７は、それぞれの係合片が、シリンダ錠１１のハウジング１０７に形成された係合穴１１３，１１３に挿入され、ハウジング１０７の外周面に当接状態となって、錠ケース３側に固定されることとなる。シリンダ錠１１のハウジング１０７が各板体１１５，１１７にて上下から挟持されるように保持され、各板体１１５，１１７がハウジング１０７（シリンダ錠１１）の上下に延出しフランジ状となって、錠ケース３に固定されることとなる。固定された各板体１１５，１１７は、錠ケース３に対して裏蓋状に配設されることとなり、錠機構部４を構成する各部である、デッドボルト６、ダルマ７等の主要な部分を屋外側から覆い隠すこととなる。
【００１８】
なお、図示はしないが、デッドボルト６及びラッチボルト１６の各先端部分と係合する係止具が、扉枠側に設けられる。
【００１９】
錠ケース３には固定筒２１が固定される。固定筒２１の内部にはコア軸３５が回転自在に内設され、コア軸３５は連結部１１１に連結されている。コア軸３５は、突起板３９を突設している。したがって、連結部１１１が回転されれば、突起板３９が回転される。
【００２０】
図６は防犯サムターンの分解斜視図、図７は防犯サムターンの分解側面図である。
固定筒２１の後端側内部には、サムターン筒４３が回転自在に内設される。なお、本実施の形態では、サムターン筒４３は、錠機構部４における出力軸９として構成され、すなわち、このサムターン筒４３に上記したダルマ７が連結される構造となる。また、固定筒２１の先端側内部には、摘み４１の取り付けられるサムターンボス３８が回転自在に内設される。サムターンボス３８は、サムターン筒４３に所定の遊び角を許容して連動回転する。このサムターンボス３８の外周には直径方向両端で一対のストッパー退避凹部３８ａが形成され、ストッパー退避凹部３８ａは後述するストッパーを進入させて、ストッパーの係合を解除する方向の移動を可能にする。
【００２１】
摘み４１は、輪郭形状が例えば図５に示すような半円形状の曲線となるような板状で形成されている。これにより、針金を摘み４１に引っ掛けようとしたり、棒を当てて押し回ししようとしても、角部がないため針金や棒が滑り易く、これら不正な回転操作力が印加され難くなっている。また、角部がなくなることで、手指によるフィット感も良好となる。
【００２２】
摘み４１は、サムターンボス３８に固定ネジ４０によって固定されるベース部材４２に装着される。装着は、ベース部材４２の後端部に、摘み４１の爪４１ａを掛止して行うことができる。サムターンボス３８に取り付けられた摘み４１は、板状となって屋内側へ突出される。これにより、摘み４１は、水平・垂直方向が把握し易くなっている。
【００２３】
サムターン筒４３の後部は筒状部４５となり、筒状部４５には直径方向の両端に開口する切欠４７が形成されている。筒状部４５の後端面からは後述の挟持板を支持する一対の軸４５ａ，４５ａがシリンダ錠１１側へ向かって突設されている。この筒状部４５の内部には、筒状部４５の軸線直交方向で摺動自在となる一対のストッパー４９，５１が内設されている。ストッパー４９には脚部係合部４９ａと、解除面４９ｂが形成されている。また、ストッパー５１には脚部係合部５１ａと、解除面５１ｂが形成されている。さらに、ストッパー４９，５１には、サムターン筒４３の半径方向外側に位置する係合部４９ｃ，５１ｃが設けられ、この係合部４９ｃ，５１ｃは上記のストッパー退避凹部３８ａに進入可能となっている。
【００２４】
一対のストッパー４９，５１は、後述のボタンに設けられた脚部が脚部係合部４９ａ，５１ａに係合されることで、筒状部４５の半径方向外側へ摺動され、切欠４７から突出し、固定筒２１に形成された係合溝５５に係合するようになっている。ストッパー４９，５１が係合溝５５に係合することで、サムターン筒４３の回動は不能となる。また、ストッパー４９，５１は、半径方向内側へ摺動されることで、係合部４９ｃ，５１ｃが係合溝５５から抜け、ストッパー退避凹部３８ａに進入することで、係合が解除されるようになっている。
【００２５】
摘み４１の表裏面には凹み５７，５７が形成されている。サムターンボス３８には四角形のボタン収容穴５９が表裏面を貫通して形成されている。ボタン収容穴５９には揺動軸６１によって揺動自在となった一対のボタン６３、６５が収容されている。ボタン６３，６５は、摘み４１の表裏面の凹み５７，５７内で突出されている。ボタン６３，６５は、シリンダ錠１１側の方向へ向かって突出する脚部６３ａ，６５ａを有している。この脚部６３ａ，６５ａは、上記したストッパー４９，５１の脚部係合部４９ａ，５１ａへと係合される。
【００２６】
また、ボタン６３，６５同士の間にはボタン付勢バネ６６が挟入され、ボタン付勢バネ６６は、ボタン６３，６５を離反方向へ付勢している。ボタン６３，６５は、ボタン付勢バネ６６によって離反方向へ配置されることで、脚部６３ａ，６５ａが略水平に並ぶようになっている（図１，図１０（ａ）参照）。そして、この脚部６３ａ，６５ａを脚部係合部４９ａ、５１ａに係合させた一対のストッパー４９，５１は、脚部６３ａ，６５ａがこのように水平配置されることで筒状部４５から突出して係合溝５５に係合する。
【００２７】
一方、ボタン６３，６５は、ボタン付勢バネ６６の付勢力に抗して接近方向へ押し込まれることで、脚部６３ａ，６５ａが開く。これにより、一対のストッパー４９，５１を、筒状部４５の半径方向内側へ摺動させて、係合溝５５との係合を解除させるよう作動する。
【００２８】
固定筒２１の内部には、サムターン筒４３の軸線直交方向で摺動自在な一対の解除交差部材６７，６９が内設されている。解除交差部材６７は、縦軸６７ａの上端で摘み４１側へ向かって突出する一端部としてのストッパー挟持片６７ｂと、縦軸６７ａの下端で突出する他端部としての離間片６７ｃとを有している。また、解除交差部材６９は、縦軸６９ａの下端で摘み４１側へ向かって突出する一端部としてのストッパー挟持片６９ｂと、縦軸６７ａの上端で突出する他端部としての離間片６９ｃとを有している。
【００２９】
解除交差部材６７，６９は、ストッパー挟持片６７ｂ，６９ｂの間に挟入された圧縮バネ７１によって、離間されたストッパー挟持片６７ｂ，６９ｂ同士の間隙で、一対のストッパー４９，５１を挟むとともに、離間片６７ｃ，６９ｃ同士が接近方向に配置される。この離間片６７ｃ，６９ｃ同士の間には、後述の挟持板が配置される。
【００３０】
サムターン筒４３の軸４５ａ，４５ａには、一対の挟持板７３ａ，７３ｂが揺動自在に支持されている。挟持板７３ａ，７３ｂは、上記したコア軸３５の突起板３９を軸線直交方向の両側から挟持する。突起板３９を挟持した挟持板７３ａ，７３ｂは、シリンダ錠１１が合鍵によって回転され、これに伴ってコア軸３５が回転されることで、この突起板３９によって開脚される。挟持板７３ａ，７３ｂは、この開脚動作によって、一対の解除交差部材６７，６９の他端部同士である離間片６７ｃ，６９ｃ同士を離反方向に移動して、一端部同士であるストッパー挟持片６７ｂ，６９ｂ同士で、一対のストッパー４９，５１を係合解除方向に摺動させる。
【００３１】
次に、上記の構成を有する面付錠１００の作用を説明する。
図８は挟持板における施錠状態を（ａ）、シリンダ錠回転状態を（ｂ）に表した動作説明図、図９は図８の逆回転時の動作説明図、図１０は解除交差部材における施錠状態を（ａ）、シリンダ錠回転状態を（ｂ）に表した動作説明図、図１１は解除交差部材における施錠状態を（ａ）、ボタン押し込み状態を（ｂ）に表した動作説明図、図１２はストッパーにおける施錠状態を（ａ）、ボタンを押し込まずに摘みを回転させた状態を（ｂ）に表した動作説明図である。
【００３２】
面付錠１００は、施錠状態において、摘み４１が水平方向に位置し、サムターン筒４３に内設されたストッパー４９，５１がボタン付勢バネ６６の付勢力により切欠４７から突出して図１０（ａ），図１１（ａ）に示すように係合溝５５に係合している。
防犯サムターン１０の施錠状態を解除するには、摘み４１から突出している表裏面のボタン６３，６５を押下する。
ボタン６３，６５が押し込められると、脚部６３ａ，６５ａが水平に並んだ状態から開脚される。これにより、図１１（ｂ）に示すように、一対のストッパー４９，５１は、筒状部４５の半径方向内側へと摺動され、係合溝５５から抜脱される。
【００３３】
その結果、ストッパー４９，５１と係合溝５５との係合が解除され、サムターン筒４３は回転が可能となって、摘み４１が垂直方向へと回転される。この際、摘み４１の垂直位置では、固定筒２１の内周に係合溝５５が形成されていないため、ストッパー４９，５１は筒状部４５内に後退したままの状態となる。したがって、ボタン６３，６５は、押下された状態のままに保持されることになる。
【００３４】
一方、解錠状態から施錠状態にするには、ボタン６３，６５の操作に関わらず、単に摘み４１を水平状態となるまで回転操作すればよい。すなわち、垂直状態から水平状態へと摘み４１が回転されれば、その回転力がサムターン筒４３、解除交差部材６７，６９、挟持板７３ａ，７３ｂを介してコア軸３５へ伝達されるとともに、ストッパー４９，５１が係合溝５５に一致し、ボタン付勢バネ６６の付勢力により係合溝５５に進入し、再び図１０（ａ），図１１（ａ）に示した状態となり、ボタン６３，６５が突出して施錠が完了する。
【００３５】
また、施錠状態において、屋外側からシリンダ錠が合鍵によって操作されると、シリンダ錠１１のテールピース１０９が回転し、その回転に連動して連結部１１１を介しコア軸３５が回転される。コア軸３５が回転されると、突起板３９が傾き、これにより図８（ａ）から図８（ｂ）に示すように、挟持板７３ａ，７３ｂが開脚する。挟持板７３ａ，７３ｂが開脚されると、解除交差部材６７，６９の離間片６７ｃ，６９ｃが開かれ、その結果、解除交差部材６７，６９のストッパー挟持片６７ｂ，６９ｂが図１０（ｂ）に示すように、一対のストッパー４９，５１を挟持する方向に挟み込み、係合溝５５から抜脱される方向へストッパー４９，５１を移動させる。
【００３６】
これにより、施錠状態においても、シリンダ錠の操作によって、ストッパー４９，５１の規制が解除され、摘み４１が回転されることになる。
【００３７】
さらに、例えば挿入された針金や棒等によって、摘み４１がボタン６３，６５の押し込みより先に回されると、ストッパー退避凹部３８ａが、図１２（ａ）に示した状態から図１２（ｂ）に示した状態へと、ストッパー４９，５１から位置ずれし、ストッパー４９，５１がストッパー退避凹部３８ａに退避できなくなり、ストッパー４９，５１の解除が不能となる。この場合、ボタン６３，６５は、摺動不能となったストッパー４９，５１によって押し込み不能となる。
【００３８】
ここで、通常操作時には、ボタン６３，６５の押し込みが容易となるように、ストッパー４９，５１がストッパー退避凹部３８ａへ進入可能に、摘み４１の位置が水平保持されることが好ましい。このような水平保持機構は、サムターン筒４３とサムターンボス３８とにクリック機構を設けることで実現できる。すなわち、図１２に示すように、サムターン筒４３とサムターンボス３８とは、所定の遊び角αを有して相対回転可能とする。この遊び角αは、サムターン筒４３とサムターンボス３８との干渉部８１，８３によって形成される間隙８５によって設定することができる。そして、サムターン筒４３側の干渉部８１に付勢バネ８７によって半径方向外側へ付勢されるクリックボール８９を設け、サムターンボス３８側の干渉部８３に、このクリックボール８９の当接する凹溝９１を形成する。これにより、摘み４１が水平保持され、ストッパー退避凹部３８ａへストッパー４９，５１が進入可能となって、通常操作時でのボタン６３，６５の押し込みを容易にすることができる。
【００３９】
なお、解錠状態において、屋外側からシリンダ錠１１を介して施錠状態とする場合は、ストッパー４９，５１が係合状態となっていないので、通常の施錠操作となる。また、挟持板７３ａ，７３ｂは、傾斜した突起板３９によって開脚された後には、サムターン筒４３と共に回転されることになる。
【００４０】
また、本実施の形態では、図９に示すように、図８と逆方向へ回転された場合、挟持板７３ａ，７３ｂは十分に開脚されない。これにより、解除交差部材６７，６９が十分に開かず、一対のストッパー４９，５１が係合溝５５から抜脱されることがなく、面付錠１００として右勝手、左勝手の使い分けを可能としている。
【００４１】
この面付錠１００によれば、ボタン６３，６５を押下しながらの回転力が摘み４１に加えられなければ、特に、一対の各ボタン６３，６５をそれぞれ押下した状態で摘み、回転を行わなければ、摘み４１による解錠操作が行えず、これにより、挿入した針金や棒等を摘みに引っ掛ける等して、摘み４１を回転することによる不正解錠が阻止される。また、一般的なサムターンと同様に、摘み４１を摘んで回動操作が行え、施錠時にはボタン操作に関わらず施錠が行えるとともに、屋外からのシリンダ錠による合鍵操作時にはストッパー４９，５１が自動解除されて摘み４１が回転されるので、良好な操作性が確保される。そして、従来の防犯カバーを被せるのと異なり、突出寸法が大きくならず、意匠性を低下させることがない。さらに、摘み４１の垂直・水平姿勢が視認可能となるので、一般的なサムターンと同様に、室内側からの施解錠状態が容易に確認できるようになる。
【００４２】
また、この面付錠１００によれば、摘み４１がボタン６３，６５の押し込みより先に回されると、ストッパー退避凹部３８ａがストッパー４９，５１から位置ずれし、ストッパー４９，５１の解除が不能となるので、挿入した針金や棒等を摘みに引っ掛ける等した、サムターン摘み４１の回転が一層行い難くなり、防犯性をさらに向上させることができる。
【００４３】
なお、上述した実施の形態では、摘み４１の形状を略板状に形成した例について述べたが、これに限ることはなく、楕円状に中途部分が膨出形状とされている形状としてもよく、あるいは錐状や角柱状などの形状としてもよい。
【００４４】
また、上述した実施の形態では、摘み４１の構成について詳述していないが、この摘み４１の外縁部分を着色したり、或いは、着色樹脂などを素材とする別部材を装着させるなどして、摘み４１の状態を容易に視認可能な構成とすることとしてもよく、このような構成とすることで、屋内側からのサムターンの操作を行いやすくすることが可能となる。
【００４５】
さらに、上述した実施の形態では、面付錠１００として、上半部に錠機構部４を備え、下半部に開閉操作部５を備えた構成として説明したが、上半部の錠機構部４の部分のみで構成されることとしてもよく、例えば、扉２に既に開閉操作部及び施解錠装置が備えられ、このような扉２にさらに錠を追加構成する所謂ワンドア・ツーロックを構成させるための後付け錠として、本発明の面付錠の構造を用いることとしても良い。この場合、デッドボルト６の係止される係止具が扉枠側に設けられることとなる。
【図面の簡単な説明】
【００４６】
【図１】本発明に係る面付錠の側断面図である。
【図２】図１に示した面付錠の平断面図である。
【図３】図１に示した面付錠の屋内側から見た正面図である。
【図４】図３を背面側から見た断面図である。
【図５】錠ケースから突設されたサムターンの斜視図である。
【図６】防犯サムターンの分解斜視図である。
【図７】防犯サムターンの分解側面図である。
【図８】挟持板における施錠状態を（ａ）、シリンダ錠回転状態を（ｂ）に表した動作説明図である。
【図９】図８の逆回転時の動作説明図である。
【図１０】解除交差部材における施錠状態を（ａ）、シリンダ錠回転状態を（ｂ）に表した動作説明図である。
【図１１】解除交差部材における施錠状態を（ａ）、ボタン押し込み状態を（ｂ）に表した動作説明図である。
【図１２】ストッパーによる施錠状態を（ａ）、ボタンを押し込まずに摘みを回転させた状態を（ｂ）に表した動作説明図である。
【符号の説明】
【００４７】
２…扉
２ａ…一方の面（屋内面）
２ｂ…他方の面（屋外面）
３…錠ケース
４…錠機構部
６…デッドボルト
１１…シリンダ錠
２１…固定筒
３５…コア軸
３８…サムターンボス
３８ａ…ストッパー退避凹部
３９…突起板
４１…摘み
４３…サムターン筒
４９，５１…ストッパー
６３，６５…ボタン
６３ａ，６５ａ…脚部
６６…ボタン付勢バネ
６７，６９…解除交差部材
６７ｂ，６９ｂ…一端部（ストッパー挟持片）
６７ｃ，６９ｃ…他端部（離間片）
７１…圧縮バネ
７３ａ，７３ｂ…挟持板
１００…面付錠
α…遊び角
【図１】
2005336821.tif 000003
【図２】
2005336821.tif 000004
【図３】
2005336821.tif 000005
【図４】
2005336821.tif 000006
【図５】
2005336821.tif 000007
【図６】
2005336821.tif 000008
【図７】
2005336821.tif 000009
【図８】
2005336821.tif 000010
【図９】
2005336821.tif 000011
【図１０】
2005336821.tif 000012
【図１１】
2005336821.tif 000013
【図１２】
2005336821.tif 000014